(57)【要約】【課題】バルーンの膨張・収縮状態と流体の供給・吸引の異常状態を画像表示することによって、その状況を正確且つ迅速に把握することのできる内視鏡装置用のバルーン制御装置を提供する。【解決手段】バルーン専用モニタ８２には、内視鏡１０を模式的に示した内視鏡画像ａと、挿入補助具７０を模式的に示した挿入補助具画像ｂと、第１バルーン６０を模式的に示した第１バルーン画像ｃと、第２バルーン８０を模式的に示した第２バルーン画像ｄと、バルーン送気口３８を模式的に示した第１管路画像ｅと、チューブ７４を模式的に示した第２管路画像ｆとが表示され、両バルーン６０、８０の膨張・収縮状態と、エアの供給・吸引の異常状態とによって画像ａ〜ｆが変化する。【選択図】  図１４
2006149999.tif 000002
【特許請求の範囲】
【請求項１】
内視鏡の挿入部に装着された第１バルーン、及び前記挿入部を挿入案内する挿入補助具に装着された第２バルーンに流体を供給・吸引することによって、前記第１バルーン及び第２バルーンを膨張・収縮させる内視鏡装置用のバルーン制御装置において、
前記第１バルーン及び第２バルーンの膨張・収縮状態を画像表示する表示手段を備えたことを特徴とする内視鏡装置用のバルーン制御装置。
【請求項２】
前記表示手段は、前記内視鏡の第１バルーン、前記挿入補助具の前記第２バルーンを模式的に示した画像を用いて膨張・収縮状態を表示することを特徴とする請求項１に記載の内視鏡装置用のバルーン制御装置。
【請求項３】
異常状態が発生した場合に、前記模式的に示した画像を用いて異常部を表示することを特徴とする請求項１又は２に記載の内視鏡装置用のバルーン制御装置。
【請求項４】
前記表示手段は、専用のモニタに表示することを特徴とする請求項１〜３のいずれか１に記載の内視鏡装置用のバルーン制御装置。
【請求項５】
前記表示手段は、前記内視鏡の観察画像が表示されるモニタに表示することを特徴とする請求項１〜３のいずれか１に記載の内視鏡装置用のバルーン制御装置。
【請求項６】
内視鏡の挿入部に装着された第１バルーン、及び前記挿入部を挿入案内する挿入補助具に装着された第２バルーンに流体を供給・吸引することによって、前記第１バルーン及び第２バルーンを膨張・収縮させる内視鏡装置用のバルーン制御装置において、
前記第１バルーン及び第２バルーンの膨張・収縮状態を、音によって認識させる音認識手段を備えたことを特徴とする内視鏡装置用のバルーン制御装置。
【請求項７】
前記音認識手段は、前記第１バルーン及び第２バルーンの膨張・収縮状態に応じて、音の周波数、間隔、音量の少なくとも一つを変化させることを特徴とする請求項６に記載の内視鏡装置用のバルーン制御装置。
【発明の詳細な説明】
【技術分野】
【０００１】
本発明は内視鏡装置用のバルーン制御装置に係り、特に小腸や大腸等の深部消化管を観察する内視鏡装置に用いられるバルーンを制御するバルーン制御装置に関する。
【背景技術】
【０００２】
内視鏡の挿入部を小腸などの深部消化管に挿入する場合、単に挿入部を押し入れていくだけでは、腸管の複雑な屈曲のために挿入部の先端に力が伝わりにくく、深部への挿入は困難である。例えば、挿入部に余分な屈曲や撓みが生じると、挿入部をさらに深部に挿入することができなくなる。そこで、内視鏡の挿入部に挿入補助具を被せて体腔内に挿入し、この挿入補助具で挿入部をガイドすることによって、挿入部の余分な屈曲や撓みを防止する方法が提案されている。
【０００３】
特許文献１には、内視鏡の挿入部の先端部に第１バルーンを設けるとともに、挿入補助具（オーバーチューブまたはスライディングチューブともいう）の先端部に第２バルーンを設けた内視鏡装置が記載されている。第１バルーンや第２バルーンは、膨張させることによって、挿入部や挿入補助具を小腸等の腸管内に固定させることができる。したがって、第１バルーンや第２バルーンの膨張、収縮を繰り返しながら、挿入部と挿入補助具を交互に挿入することによって、挿入部を小腸等の複雑に屈曲した腸管の深部に挿入することができる。
【０００４】
特許文献２には、バルーンへのエアの供給、吸引を制御するバルーン制御装置が記載されている。このバルーン制御装置は装置本体の前面に、送気時や吸引時における設定圧力や設定時間を表示する複数の表示パネルと、圧力や時間が設定値を超えた際に点灯する複数の警告灯が設けられている。したがって、異常状態が発生した場合には、警告灯の点灯によって認識することができる。
【特許文献１】特開２００２−３０１０１９公報
【特許文献２】特開２００３−１４４３７８号公報
【発明の開示】
【発明が解決しようとする課題】
【０００５】
しかしながら、特許文献２に記載のバルーン制御装置は、多数の表示パネルと警告灯を設けているため、コスト増や装置の大型化といった問題があった。また、表示パネルや警告灯を見ても、バルーンの膨張・収縮状態やバルーンの異常状態を把握しにくいという問題があった。
【０００６】
さらに、特許文献２のバルーン制御装置を特許文献１のダブルバルーン式内視鏡装置に適用した場合、表示パネルや警告灯の数が倍に増えるため、正確な状況把握がより困難になるという問題があった。
【０００７】
本発明はこのような事情に鑑みてなされたもので、内視鏡の挿入部に装着した第１バルーンや、挿入補助具に装着した第２バルーンの状況把握を正確、且つ迅速に行うことのできる内視鏡装置用のバルーン制御装置を提供することを目的とする。
【課題を解決するための手段】
【０００８】
請求項１に記載の発明は前記目的を達成するために、内視鏡の挿入部に装着された第１バルーン、及び前記挿入部を挿入案内する挿入補助具に装着された第２バルーンに流体を供給・吸引することによって、前記第１バルーン及び第２バルーンを膨張・収縮させる内視鏡装置用のバルーン制御装置において、前記第１バルーン及び第２バルーンの膨張・収縮状態を画像表示する表示手段を備えたことを特徴とする。
【０００９】
請求項１の発明によれば、バルーンの膨張・収縮状態を画像として表示したので、膨張・収縮状態を迅速、且つ正確に把握することができる。
【００１０】
請求項２に記載の発明は請求項１の発明において、前記表示手段は、前記内視鏡の第１バルーン、前記挿入補助具の前記第２バルーンを模式的に示した画像を用いて膨張・収縮状態を表示することを特徴とする。
【００１１】
請求項３に記載の発明は請求項１又は２の発明において、異常状態が発生した場合に、前記模式的に示した画像を用いて異常部を表示することを特徴とする。したがって、請求項３の発明によれば、画像を見ることによって、異常状態が発生したことを知ることができ、さらに、異常状態が何処で発生したかを把握することができる。
【００１２】
請求項４に記載の発明は請求項１〜３のいずれか１の発明において、前記表示手段は、専用のモニタに表示する。
【００１３】
請求項５の発明は請求項１〜３のいずれか１の発明において、前記表示手段は、前記内視鏡の観察画像が表示されるモニタに表示することを特徴とする。したがって、内視鏡の観察画像を見ながら、バルーンの膨張・収縮状態、及び流体の供給・吸引の異常状態を迅速、且つ正確に把握することができる。
【００１４】
請求項６の発明は前記目的を達成するために、内視鏡の挿入部に装着された第１バルーン、及び前記挿入部を挿入案内する挿入補助具に装着された第２バルーンに流体を供給・吸引することによって、前記第１バルーン及び第２バルーンを膨張・収縮させる内視鏡装置用のバルーン制御装置において、前記第１バルーン及び第２バルーンの膨張・収縮状態を、音によって認識させる音認識手段を備えたことを特徴とする。したがって、請求項６の発明によれば、第１バルーン及び第２バルーンの膨張・収縮状態を音によって認識することができ、例えば観察画像を見ながら膨張・収縮状態を把握することができる。
【００１５】
請求項７に記載の発明は請求項６の発明において、前記音認識手段は、前記第１バルーン及び第２バルーンの膨張・収縮状態に応じて、音の周波数、間隔、音量の少なくとも一つを変化させることを特徴とする。したがって、請求項７の発明によれば、音の周波数、間隔、音量の変化によって、第１バルーン及び第２バルーンの膨張・収縮状態を把握することができる。
【発明の効果】
【００１６】
本発明に係る内視鏡装置用のバルーン制御装置によれば、バルーンの膨張・収縮状態と流体の供給・吸引の異常状態を画像表示するようにしたので、正確且つ迅速に把握することができる。
【発明を実施するための最良の形態】
【００１７】
以下添付図面に従って本発明に係る内視鏡装置用のバルーン制御装置の好ましい実施の形態について詳述する。図１は本発明に係るバルーン制御装置が適用された内視鏡装置の実施形態を示すシステム構成図である。図１に示すように内視鏡装置は主として、内視鏡１０、挿入補助具７０、及びバルーン制御装置１００で構成される。
【００１８】
図１に示すように内視鏡１０は、手元操作部１４と、この手元操作部１４に連設され、体腔内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって後述の照明光学系５４（図２参照）に照明光が送られる。また、ＬＧコネクタ１８には、ケーブル２２を介して電気コネクタ２４が接続され、この電気コネクタ２４がプロセッサ２６に着脱自在に連結される。
【００１９】
手元操作部１４には、送気・送水ボタン２８、吸引ボタン３０、シャッターボタン３２、及び機能切替ボタン３４が並設されるとともに、一対のアングルノブ３６、３６が設けられる。手元操作部１４の基端部には、Ｌ状に屈曲した管によってバルーン送気口３８が形成されている。このバルーン送気口３８にエア等の流体を供給、或いは吸引することによって、後述の第１バルーン６０を膨張、或いは収縮させることができる。
【００２０】
挿入部１２は、手元操作部１４側から順に軟性部４０、湾曲部４２、及び先端部４４で構成され、湾曲部４２は、手元操作部１４のアングルノブ３６、３６を回動することによって遠隔的に湾曲操作される。これにより、先端部４４を所望の方向に向けることができる。
【００２１】
図２に示すように、先端部４４の先端面４５には、観察光学系５２、照明光学系５４、５４、送気・送水ノズル５６、鉗子口５８が設けられる。観察光学系５２の後方にはＣＣＤ（不図示）が配設され、このＣＣＤを支持する基板には信号ケーブル（不図示）が接続される。信号ケーブルは図１の挿入部１２、手元操作部１４、ユニバーサルケーブル１６等に挿通されて電気コネクタ２４まで延設され、プロセッサ２６に接続される。よって、観察光学系４８で取り込まれた観察像は、ＣＣＤの受光面に結像されて電気信号に変換され、そして、この電気信号が信号ケーブルを介してプロセッサ２６に出力され、映像信号に変換される。これにより、プロセッサ２６に接続されたモニタ５０に観察画像が表示される。
【００２２】
図２の照明光学系５４、５４の後方にはライトガイド（不図示）の出射端が配設されている。このライトガイドは、図１の挿入部１２、手元操作部１４、ユニバーサルケーブル１６に挿通され、ＬＧコネクタ１８内に入射端が配設される。したがって、ＬＧコネクタ１８を光源装置２０に連結することによって、光源装置２０から照射された照明光がライトガイドを介して照明光学系５４、５４に伝送され、照明光学系５４、５４から前方に照射される。
【００２３】
図２の送気・送水ノズル５６は、図１の送気・送水ボタン２８によって操作されるバルブ（不図示）に連通されており、さらにこのバルブはＬＧコネクタ１８に設けた送気・送水コネクタ４８に連通される。送気・送水コネクタ４８には不図示の送気・送水手段が接続され、エア又は水が供給される。したがって、送気・送水ボタン２８を操作することによって、送気・送水ノズル５６からエア又は水を観察光学系５２に向けて噴射することができる。
【００２４】
図２の鉗子口５８は、図１の鉗子挿入部４６に連通されている。よって、鉗子挿入部４６から鉗子等の処置具を挿入することによって、この処置具を鉗子口５８から導出することができる。また、鉗子口５８は、吸引ボタン３０によって操作されるバルブ（不図示）に連通されており、このバルブはさらにＬＧコネクタ１８の吸引コネクタ４９に接続される。したがって、吸引コネクタ４９に不図示の吸引手段を接続し、吸引ボタン３０でバルブを操作することによって、鉗子口５８から病変部等を吸引することができる。
【００２５】
挿入部１２の外周面には、ゴム等の弾性体から成る第１バルーン６０が装着される。第１バルーン６０は、両端部が絞られた略筒状に形成されており、挿入部１２を挿通させて第１バルーン６０を所望の位置に配置した後、図２に示すように第１バルーン６０の両端部にゴム製の固定リング６２、６２を嵌め込むことによって、第１バルーン６０が挿入部１２に固定される。
【００２６】
第１バルーン６０の装着位置となる挿入部１２の外周面には、通気孔６４が形成されている。通気孔６４は、図１の手元操作部１４に設けられたバルーン送気口３８に連通されており、バルーン送気口３８は後述のチューブ１１０を介してバルーン制御装置１００に接続される。したがって、バルーン制御装置１００によってエアを供給、吸引することによって、第１バルーン６０を膨張、収縮させることができる。なお、第１バルーン６０はエアを供給することによって略球状に膨張し、エアを吸引することによって挿入部１２の外表面に張り付くようになっている。
【００２７】
一方、図１に示す挿入補助具７０は筒状に形成されており、挿入部１２の外径よりも僅かに大きい内径を有するとともに、十分な可撓性を備えている。挿入補助具７０の基端には硬質の把持部７２が設けられ、この把持部７２から挿入部１２を挿入するようになっている。
【００２８】
挿入補助具７０の先端近傍には、第２バルーン８０が装着される。第２バルーン８０は、両端が窄まった略筒状に形成されており、挿入補助具７０を貫通させた状態で装着され、不図示の糸を巻回することによって固定される。第２バルーン８０には、挿入補助具７０の外周面に貼り付けたチューブ７４が連通され、このチューブ７４の基端部にコネクタ７６が設けられる。コネクタ７６には、チューブ１２０が接続され、このチューブ１２０を介してバルーン制御装置１００に接続される。したがって、バルーン制御装置１００でエアを供給、吸引することによって、第２バルーン８０を膨張、収縮させることができる。第２バルーン８０は、エアを供給することによって略球状に膨張し、エアを吸引することによって挿入補助具７０の外周面に貼りつくようになっている。
【００２９】
挿入補助具７０の基端側には注入口７８が設けられている。この注入口７８は、挿入補助具７０の内周面に形成された開口（不図示）に連通される。したがって、注入口７８から注射器等で潤滑剤（例えば水等）を注入することによって、挿入補助具７０の内部に潤滑剤を供給することができる。よって、挿入補助具７０に挿入部１２を挿入した際に、挿入補助具７０の内周面と挿入部１２の外周面との摩擦を減らすことができ、挿入部１２と挿入補助具７０の相対的な移動をスムーズに行うことができる。
【００３０】
バルーン制御装置１００は、第１バルーン６０にエア等の流体を供給・吸引するとともに、第２バルーン８０にエア等の流体を供給・吸引する装置である。バルーン制御装置１００は主として、装置本体１０２、及びリモートコントロール用のハンドスイッチ１０４で構成される。
【００３１】
図３に示すように、装置本体１０２の前面には、電源スイッチＳＷ１、停止スイッチＳＷ２、第１圧力表示部１０６、第２圧力表示部１０８、及び第１機能停止スイッチＳＷ３、第２機能停止スイッチＳＷ４が設けられる。第１圧力表示部１０６、第２圧力表示部１０８はそれぞれ、第１バルーン６０、第２バルーン８０の圧力値を表示するパネルであり、バルーン破れ等の異常発生時にはこの圧力表示部１０６、１０８にエラーコードが表示される。
【００３２】
第１機能停止スイッチＳＷ３、第２機能停止スイッチＳＷ４はそれぞれ、後述の内視鏡用制御系統Ａ、挿入補助具用制御系統Ｂの機能をＯＮ／ＯＦＦするスイッチであり、第１バルーン６０と第２バルーン８０の一方のみを使用する場合には、使用しない方の機能停止スイッチＳＷ３、ＳＷ４を操作して機能をＯＦＦにする。機能がＯＦＦになった制御系統Ａ又はＢでは、エアの供給、吸引が完全に停止し、その系統の圧力表示部１０６、又は１０８もＯＦＦになる。機能停止スイッチＳＷ３、ＳＷ４は両方をＯＦＦにすることによって、初期状態の設定等を行うことができる。例えば、両方の機能停止スイッチＳＷ３、ＳＷ４をＯＦＦにして、ハンドスイッチ１０４の全スイッチＳＷ５〜ＳＷ９を同時に押下操作することによって、大気圧に対するキャリブレーションが行われる。
【００３３】
装置本体１０２の前面には、第１バルーン６０へのエア供給・吸引を行うチューブ１１０、及び第２バルーン８０へのエア供給・吸引を行うチューブ１２０が接続される。各チューブ１１０、１２０と装置本体１０２との接続部分にはそれぞれ、第１バルーン６０、或いは第２バルーン８０が破れた時の体液の逆流を防止するための逆流防止ユニット１１２、１２２が設けられる。逆流防止ユニット１１２、１２２は、装置本体１０２に着脱自在に装着された中空円盤状のケース（不図示）の内部に気液分離用のフィルタ（不図示）を組み込むことによって構成されており、ケース内に液体が供給されると、これをフィルタによって分離し、装置本体１０２内に液体が流入することを防止する。
【００３４】
なお、圧力表示部１０６、１０８、機能停止スイッチＳＷ３、ＳＷ４、及び逆流防止ユニット１１２、１２２は、内視鏡１０用と挿入補助具７０用とが常に一定の配置になっている。すなわち、内視鏡用１０用の圧力表示部１０６、機能停止スイッチＳＷ３、及び逆流防止ユニット１１２はそれぞれ、挿入補助具７０用の圧力表示部１０８、機能停止スイッチＳＷ４、及び逆流防止ユニット１２２に対して右側に配置されている。
【００３５】
一方、図１のハンドスイッチ１０４には、装置本体１０２側の停止スイッチＳＷ２と同様の停止スイッチＳＷ５と、第１バルーン６０の加圧／減圧を指示するＯＮ／ＯＦＦスイッチＳＷ６と、第１バルーン６０の圧力を保持するためのポーズスイッチＳＷ７と、第２バルーン８０の加圧／減圧を指示するＯＮ／ＯＦＦスイッチＳＷ８と、第２バルーン８０の圧力を保持するためのポーズスイッチＳＷ９とが設けられており、このハンドスイッチ１０４はコード１３０を介して装置本体１０２に電気的に接続されている。なお、図１には示してないが、ハンドスイッチ１０４には、第１バルーン６０や第２バルーン８０の送気状態、或いは排気状態を示す表示部が設けられている。
【００３６】
上記の如く構成されたバルーン制御装置１００は、各バルーン６０、８０にエアを供給して膨張させるとともに、そのエア圧を一定値に制御して各バルーン６０、８０を膨張した状態に保持する。また、各バルーン６０、８０からエアを吸引して収縮させるとともに、そのエア圧を一定値に制御して各バルーン６０、８０を収縮した状態に保持する。
【００３７】
バルーン制御装置１００は、バルーン専用モニタ８２に接続される。このバルーン専用モニタ８２には、後述するように、各バルーン６０、８０の膨張・収縮状態や、エア供給・吸引に関する異常状態がグラフィックとして表示される。なお、各バルーン６０、８０の膨張収縮状態やエア供給、吸引の異常状態、さらには各バルーン６０、８０の圧力値を、内視鏡１０の観察画像にスーパーインポーズしてモニタ５０に表示するようにするようにしてもよい。
【００３８】
次に上記の如く構成された内視鏡装置の操作方法について図４（ａ）〜（ｈ）に従って説明する。
【００３９】
まず、図４（ａ）に示すように、挿入補助具７０を挿入部１２に被せた状態で、挿入部１２を腸管（例えば十二指腸下行脚）９０内に挿入する。このとき、第１バルーン６０及び第２バルーン８０を収縮させておく。
【００４０】
次に、図４（ｂ）に示すように、挿入補助具７０の先端が腸管９０の屈曲部まで挿入された状態で、第２バルーン８０にエアを供給して膨張させる。すなわち、ハンドスイッチ１０４のスイッチＳＷ８をＯＮにして加圧を指令し、バルーン制御装置１００からチューブ１２０を介してエアを供給し、第２バルーン８０が予め設定した加圧力になるまで膨らませる。これにより、第２バルーン８０が腸管９０に係止され、挿入補助具７０の先端が腸管９０に固定される。
【００４１】
次に、図４（ｃ）に示すように、内視鏡１０の挿入部１２のみを腸管９０の深部に挿入する。そして、図４（ｄ）に示すように、第１バルーン６０にエアを供給して膨張させる。すなわち、ハンドスイッチ１０４のスイッチＳＷ６をＯＮにして加圧を指令し、バルーン制御装置１００からチューブ１１０を介してエアを供給し、第１バルーン６０が予め設定した加圧力になるまで膨らませる。これにより、第１バルーン６０が腸管９０に固定される。
【００４２】
次いで、第２バルーン８０からエアを吸引して第２バルーン８０を収縮させる。すなわち、ハンドスイッチ１０４のスイッチＳＷ８をＯＦＦにして減圧を指令し、バルーン制御装置１００からチューブ１２０を介してエアを吸引し、第２バルーン８０が予め設定した減圧力になるまで収縮させる。その後、図４（ｅ）に示すように、挿入補助具７０を押し込んで、挿入部１２に沿わせて挿入する。そして、挿入補助具７０の先端を第１バルーン６０の近傍まで持っていった後、図４（ｆ）に示すように、第２バルーン８０にエアを供給して膨張させる。すなわち、ハンドスイッチ１０４のスイッチＳＷ８をＯＮにすることによって、第２バルーン８０が予め設定した加圧力になるまで膨らませる。これにより、第２バルーン８０が腸管９０に固定される。すなわち、腸管９０が第２バルーン８０によって把持される。
【００４３】
次に、図４（ｇ）に示すように、挿入補助具７０を手繰り寄せる。これにより、腸管９０が収縮した状態になり、挿入補助具７０の余分な撓みや屈曲は無くなる。次いで、図４（ｈ）に示すように、第１バルーン６０からエアを吸引して第１チューブ６０を収縮させる。すなわち、ハンドスイッチ１０４のスイッチＳＷ６をＯＦＦにして減圧を指令し、バルーン制御装置１００からチューブ１１０を介してエアを吸引し、第１バルーン６０が予め設定した減圧力になるまで収縮させる。
【００４４】
そして、挿入部１２の先端部４４をできる限り腸管９０の深部に挿入する。すなわち、図４（ｃ）に示した挿入操作を再度行う。これにより、挿入部１２の先端部４４を腸管９０の深部に挿入することができる。挿入部１２をさらに深部に挿入する場合には、図４（ｄ）に示したような固定操作を行った後、図４（ｅ）に示したような押し込み操作を行い、さらに図４（ｆ）に示したような把持操作、図４（ｇ）に示したような手繰り寄せ操作、図４（ｈ）に示したような挿入操作を順に繰り返し行う。これにより、挿入部１２をさらに腸管９０の深部に挿入することができる。
【００４５】
次にバルーン制御装置１００の内部構造について説明する。図５はバルーン制御装置１００の内部構造の実施形態を示すブロック図である。同図に示すように、バルーン制御装置１００の装置本体１０２は主として、電源回路１６０、シーケンサ１７０、内視鏡用制御系統Ａ、及び、挿入補助具用制御系統Ｂで構成される。
【００４６】
電源回路１６０は、電源プラグ１６２から入力する商用電源を所要の電圧の直流電源に変換して装置本体１０２内の各部に供給するもので、ヒューズ１６４、スイッチング電源１６６で構成される。スイッチング電源１６６は、電源スイッチ１６６Ａ、電源一次側１６６Ｂ、電源二次側１６６Ｃから成り、電源一次側１６６Ｂと電源二次側１６６Ｃの間は強化絶縁されている。なお、図５の符号１６８は当電位化端子、符号１６９は保護接地端子であり、一点鎖線で示す中間回路が保護接地されるとともに、実線で示す外装が保護接地される。
【００４７】
シーケンサ１７０は、ハンドスイッチ１０４からの各種の指令に基づいて内視鏡用制御系統Ａと挿入補助具用制御系統Ｂとを別々に制御するとともに、圧力異常等の検出や異常検出時にブザーＢＺを鳴らしたり、後述の圧力表示部１０６、１０８にエラーメッセージを表示するように制御する。
【００４８】
また、シーケンサ１７０は、画像処理回路１８０に接続されており、圧力センサＳＡ、ＳＢの測定値を示す信号はここで画像信号に変換処理される。そして、処理された信号はバルーン専用モニタ８２に送られ、両バルーン６０、８０の膨張・収縮状態がバルーン専用モニタ８２に画像表示される。また、画像処理回路１８０は、プロセッサ２６に接続されており、入力端子ａから、内視鏡１０の観察画像信号が入力されると、これにバルーン６０、８０の膨張、収縮状態をスーパーインポーズした信号を形成し、そのスーパーインポーズ信号を出力端子ｂからプロセッサ２６に出力する。これにより、観察画像にバルーン状態をスーパーインポーズした画像を図１のモニタ５０に表示することができる。
【００４９】
また、シーケンサ１７０は、冷却ファン１９０や、フットスイッチ１９２にも接続されている。冷却ファン１９０は、電源スイッチＳＷ１（図３参照）をＯＮにした際に駆動し、装置本体１０２内にエアを送風することによって過熱を防止する。フットスイッチ１９２は、複数のペダル（不図示）を有し、このペダルを術者が踏むことによって、エアの送気・排気を切り替えたり、エアの送気・排気を停止したりできるようになっている。なお、シーケンサ１７０の詳細な動作については後述する。
【００５０】
内視鏡用制御系統Ａは主として、加圧用のポンプＰＡ１、減圧用のポンプＰＡ２、ポンプＰＡ１からのエア供給をＯＮ／ＯＦＦさせる電磁弁ＶＡ１と、ポンプＰＡ２によるエア吸引をＯＮ／ＯＦＦさせる電磁弁ＶＡ２と、加圧／減圧を切り替えるための電磁弁ＶＡ３と、チューブ１１０の圧力を検出する圧力センサＳＡで構成される。加圧用のポンプＰＡ１、及び減圧用のポンプＰＡ２は、シーケンサ１７０によって起動／停止が制御される。また、三つの電磁弁ＶＡ１、ＶＡ２、ＶＡ３は、シーケンサ１７０からの駆動信号によって切替制御される。
【００５１】
圧力センサＳＡは、予め設定した加圧力Ｐ1 （例えば、大気圧よりも５．６ｋＰａ高い圧力）と、この加圧力Ｐ1 よりも高い異常圧力Ｐ2 （例えば、大気圧よりも８．２ｋＰａ高い圧力）と、予め設定した減圧力Ｐ3 （例えば、大気圧よりも６．０ｋＰａ低い圧力）を検出できるようになっている。圧力センサＳＡによって検出される圧力は、シーケンサ１７０に加えられ、圧力表示部１０６に表示される。
【００５２】
加圧用のポンプＰＡ１と電磁弁ＶＡ１との間には、分岐管ＴＡが配設されており、この分岐管ＴＡに固定絞りＤＡ１が取り付けられる。したがって、加圧用のポンプＰＡ１から供給されるエアの一部は固定絞りＤＡ１から常に大気放出される。
【００５３】
また、電磁弁ＶＡ３と気液分離ユニット１１２の間には固定絞りＤＡ２が配設されており、この固定絞りＤＡ２によって、チューブ１１０を流れる流体の流量が調節される。
【００５４】
挿入補助具用制御系統Ｂは内視鏡用制御系統Ａと同様に構成され、主として、加圧用のポンプＰＢ１、減圧用のポンプＰＢ２、ポンプＰＢ１からのエア供給をＯＮ／ＯＦＦさせる電磁弁ＶＢ１と、ポンプＰＢ２によるエア吸引をＯＮ／ＯＦＦさせる電磁弁ＶＢ２と、加圧／減圧を切り替えるための電磁弁ＶＢ３と、チューブ１２０の圧力を検出する圧力センサＳＢで構成される。加圧用のポンプＰＢ１、及び減圧用のポンプＰＢ２は、シーケンサ１７０によって起動／停止が制御される。また、三つの電磁弁ＶＢ１、ＶＢ２、ＶＢ３は、シーケンサ１７０からの駆動信号によって切替制御される。
【００５５】
圧力センサＳＢは、予め設定した加圧力Ｐ1 （例えば、大気圧よりも５．６ｋＰａ高い圧力）と、この加圧力Ｐ1 よりも高い異常圧力Ｐ2 （例えば、大気圧よりも８．２ｋＰａ高い圧力）と、予め設定した減圧力Ｐ3 （例えば、大気圧よりも６．０ｋＰａ低い圧力）を検出できるようになっている。圧力センサＳＢによって検出される圧力は、シーケンサ１７０に加えられ、圧力表示部１０８に表示される。
【００５６】
加圧用のポンプＰＢ１と電磁弁ＶＢ１との間には、分岐管ＴＢが配設されており、この分岐管ＴＢに固定絞りＤＢ１が取り付けられる。したがって、加圧用のポンプＰＢ１から供給されるエアの一部は固定絞りＤＢ１から常にリークされる。
【００５７】
また、電磁弁ＶＡ３と気液分離ユニット１２２の間には固定絞りＤＢ２が配設されており、この固定絞りＤＢ２によって、チューブ１２０を流れる流体の流量が調節される。
【００５８】
次に、図６乃至図９のフローチャートを参照しながらシーケンサ１７０の動作について詳述する。なお、シーケンサ１７０による内視鏡側のバルーン制御と挿入補助具側のバルーン制御とは同様に行われるため、以下、内視鏡側のバルーン制御について説明する。
【００５９】
図６はシーケンサ１７０の動作の概略を示すフローチャートである。まず、シーケンサ１７０は、ハンドスイッチ１０４から第１バルーン６０の減圧指令（すなわち、スイッチＳＷ６のＯＦＦ）を入力したか否かを判別する（ステップＳ１０）。減圧指令を入力した場合には、図７に示す減圧処理を実行する。
【００６０】
同様に、シーケンサ１７０は、ハンドスイッチ１０４から第１バルーン６０の加圧指令（すなわち、スイッチＳＷ６のＯＮ）を入力したか否か、バルーン６０の圧力を保持するポーズ指令（ポーズスイッチＳＷ７のＯＮ）を入力したか否かを判別する（ステップＳ２０、Ｓ３０）。そして、加圧指令を入力した場合には、図８に示す加圧処理を実行し、ポーズ指令を入力した場合には、図９に示すポーズ処理を実行する。
【００６１】
なお、スイッチＳＷ６、及びポーズスイッチＳＷ７のキートップにはそれぞれ緑色ＬＥＤ、白色ＬＥＤが設けられており、これらの緑色ＬＥＤ、白色ＬＥＤは、スイッチＯＮ時に点灯する。また、スイッチＳＷ８、ポーズスイッチＳＷ９にもそれぞれ緑色ＬＥＤ、白色ＬＥＤが設けられている。
【００６２】
次に、図７のフローチャートを参照しながら減圧処理について説明する。
【００６３】
まず、シーケンサ１７０は、時間を計時するためのタイマの時間Ｔを０にリセットし（ステップＳ１０２）、その後、制御系統Ａを減圧動作させる（ステップＳ１０４）。すなわち、図５に示す各電磁弁ＶＡ１、ＶＡ２、ＶＡ３をそれぞれＯＦＦにするとともに、減圧用のポンプＰＡ２を駆動させる。
【００６４】
続いて、圧力センサＳＡからの検出信号により、チューブ１１０内の圧力が予め設定した減圧力Ｐ3 に達したか否かを判別し（ステップＳ１０６）、減圧力Ｐ3 に達すると、減圧動作を停止させる（ステップＳ１０８）。
【００６５】
なお、減圧動作の停止は、電磁弁ＶＡ２によって行われる。また、バルーン式内視鏡１０の挿入部１２に沿って設けられたエア供給チューブの径は、チューブ１１０の径に比べて十分に小さいため、エア吸引（減圧）が開始されると、第１バルーン６０の圧力が減圧力Ｐ3 に達する前にチューブ１１０内の圧力が先に減圧力Ｐ3 に達し、減圧動作が停止する。しかし、第１バルーン６０の圧力が減圧力Ｐ3 に達していない場合には、チューブ１１０内の圧力は再び上昇し、減圧力Ｐ3 よりも大きくなる。この場合、シーケンサ１７０は、圧力センサＳＡ２からの検出信号により再び減圧動作を開始する。このようにして減圧動作の開始と停止とを複数回繰り返すことで、第１バルーン６０の圧力を減圧力Ｐ3 にすることができる。
【００６６】
一方、減圧力Ｐ3 に達しない場合には、減圧動作の開始からの時間Ｔが３０秒に達したか否かを判別する（ステップＳ１１０）。そして、時間Ｔが３０秒に達するまでステップＳ１０４、Ｓ１０６、Ｓ１１０の処理を繰り返す場合には、異常（例えば、チューブ１１０とバルーン送気口１８とが外れている）と判別する。
【００６７】
上記のようにして異常が検出されると、タイマの時間Ｔを０にリセットするとともに、エラーメッセージを表示し、同時にブザーＢＺを鳴らす（ステップＳ１１２、Ｓ１１３、Ｓ１１４）。エラーメッセージは、エラーコード（例えば「Ｅｒｒ７」）を第１バルーン６０の圧力値と交互に圧力表示部１０６に表示する。同時に装置本体１０２に設けられた停止スイッチＳＷ２、及びハンドスイッチ１０４に設けられた停止スイッチＳＷ３の各キートップに配設された赤色ＬＥＤを点灯させる。
【００６８】
その後、停止スイッチＳＷ２又はＳＷ５のいずれかが押されたか否かを判別し（ステップＳ１１６）、押された場合には、エラーメッセージの表示とブザーＢＺを止める（ステップＳ１１７、Ｓ１１８）。一方、停止スイッチＳＷ２又はＳＷ５が押されない場合には、２０秒経過したか否かを判別し、２０秒経過した場合には、自動的にエラーメッセージとブザーを停止させる。
【００６９】
上記減圧動作中にブザーＢＺ等により異常が報知されると、通常、ダブルバルーン式内視鏡の操作者は、停止スイッチＳＷ２又はＳＷ５を押した後、チューブ１１０の外れがないかどうか等をチェックする。
【００７０】
次に、図８のフローチャートを参照しながら加圧処理について説明する。
【００７１】
まず、シーケンサ１７０は、タイマの時間Ｔを０にリセットし（ステップＳ２０２）、その後、制御系統Ａを加圧動作させる（ステップＳ２０４）。すなわち、電磁弁ＶＡ３をＯＮにするとともに、加圧用のポンプＰＡ１を駆動させる。
【００７２】
続いて、圧力センサＳＡからの検出信号により、チューブ１１０内の圧力が予め設定した加圧力Ｐ1 に達したか否かを判別し（ステップＳ２０６）、加圧力Ｐ1 に達している場合には、さらに異常圧力Ｐ2 に達しているか否かを判別する（ステップＳ２０８）。そして、異常圧力Ｐ2 に達していない場合には、加圧動作を停止させる（ステップＳ２１０）。なお、加圧動作の停止は、電磁弁ＶＡ１によって行われる。また、バルーン式内視鏡１０の挿入部１２に沿って設けられたエア供給チューブの径は、チューブ１１０の径に比べて十分に小さいため、エア供給（加圧）が開始されると、第１バルーン６０の圧力が加圧力Ｐ1 に達する前にチューブ１１０内の圧力が先に加圧力Ｐ1 に達し、加圧動作が停止する。しかし、第１バルーン６０の圧力が加圧力Ｐ1 に達していない場合には、チューブ１１０内の圧力は再び低下し、加圧力Ｐ1 よりも小さくなる。この場合、シーケンサ１７０は、圧力センサＳＡ１からの検出信号により再び加圧動作を開始する。このようにして加圧動作の開始と停止とを複数回繰り返すことで、第１バルーン６０の圧力を加圧力Ｐ1 にすることができる。
【００７３】
一方、小腸がぜん動運動を行ったり、装置本体１０２の異常（例えば、電磁弁ＶＡ１の異常等）により加圧動作が停止しない場合には、チューブ１１０内の圧力が異常圧力Ｐ3 に達する場合がある。この場合、ステップＳ２０８からステップＳ２１２に進み、ここで異常圧力Ｐ3 が５秒継続したか否かを判別する。
【００７４】
異常圧力Ｐ3 が５秒継続すると、タイマの時間Ｔを０にリセットするとともに、エラーメッセージを表示し、同時にブザーＢＺを鳴らす（ステップＳ２１４、Ｓ２１５、Ｓ２１６）。エラーメッセージは、エラーコード（例えば「Ｅｒｒ４」）をバルーン圧力値と交互に圧力表示部１０６に表示する。
【００７５】
その後、停止スイッチＳＷ２又はＳＷ５のいずれかが押されたか否かを判別し（ステップＳ２１８）、押された場合には、エラーメッセージ表示を停止し、ブザーＢＺを止める（ステップＳ２１９、Ｓ２２０）。続いて、異常圧力Ｐ2 が加圧力Ｐ1 になるまで、減圧動作させる（ステップＳ２２２）。この減圧動作は、電磁弁ＶＡ３をＯＦＦさせ、減圧側に切り替えることによって行われる。この場合、例えば、電磁弁ＶＡ１が故障していて加圧動作を停止できない場合でも、電磁弁ＶＡ３の切り替えにより減圧させることができる。
【００７６】
続いて、タイマの時間Ｔを０にリセットし（ステップＳ２２４）、スイッチＳＷ６のＯＦＦ（減圧）操作等の他のスイッチＳＷの操作の有無を判別する（ステップＳ２２６）。２０秒の間に他のスイッチＳＷの操作がない場合には（ステップＳ２２８）、ステップＳ２３０に進み、ここで負圧力Ｐ3 まで減圧する減圧動作が行われる。なお、ステップＳ２２６において、他のスイッチＳＷの操作があることが判別されると、そのスイッチＳＷの指令に基づくバルーン制御を行う。
【００７７】
また、ステップＳ２１８において、停止スイッチＳＷ２又はＳＷ５が押されていないと判別されると、続いて他のスイッチＳＷの操作の有無が判別される（ステップＳ２３２）。そして、停止スイッチＳＷ２又はＳＷ５が押されず、かつ他のスイッチＳＷの操作もない状態が２０秒継続すると（ステップＳ２３４）、エラーメッセージ表示を停止するとともにブザーを止め（ステップＳ２３５、Ｓ２３６）、減圧力Ｐ3 まで減圧する減圧動作を行う（ステップＳ２３０）。
【００７８】
一方、ステップＳ２０６に戻って、加圧動作中にチューブ１１０の圧力が加圧力Ｐ1 に達しない場合には、加圧動作の開始からの時間Ｔが６０秒に達したか否かを判別する（ステップＳ２３８）。そして、時間Ｔが６０秒に達するまでステップＳ２０４、Ｓ２０６、Ｓ２３８の処理を繰り返す場合には、異常（例えば、チューブ１１０とバルーン送気口１８とが外れている）と判別する。
【００７９】
上記のようにして異常が検出されると、タイマの時間Ｔを０にリセットするとともに、エラーメッセージを表示し、さらにブザーＢＺを鳴らす（ステップＳ２４０、Ｓ２４１、Ｓ２４２）。エラーメッセージは、エラーコード（例えば「Ｅｒｒ５」）をバルーン圧力値と交互に圧力表示部１０６に表示する。
【００８０】
その後、停止スイッチＳＷ２又はＳＷ５のいずれかが押されたか否かを判別し（ステップＳ２４４）、押された場合には、エラーメッセージ表示を停止するとともにブザーＢＺを止める（ステップＳ２４６）。続いて、タイマの時間Ｔを０にリセットし（ステップＳ２４８）、他のスイッチＳＷの操作の有無を判別する（ステップＳ２５０）。ブザーＢＺが停止してから２０秒の間に他のスイッチＳＷの操作がない場合には（ステップＳ２５２）、ステップＳ２３０に進み、ここで負圧力Ｐ3 まで減圧する減圧動作が行われる。なお、ステップＳ２５０において、他のスイッチＳＷの操作があることが判別されると、そのスイッチＳＷの指令に基づくバルーン制御を行う。
【００８１】
一方、ステップＳ２４４において、停止スイッチＳＷ２又はＳＷ５が押されない場合には、ブザーＢＺを鳴らしてからの時間Ｔが２０秒経過したか否かを判別し（ステップＳ２５４）、２０秒経過した場合には、自動的にエラーメッセージの表示を停止するとともにブザーＢＺを停止させた後（ステップＳ２５５、Ｓ２５６）、ステップＳ２３０に進み、ここで減圧力Ｐ3 まで減圧する減圧動作が行われる。
【００８２】
次に、第１バルーン６０が破れている場合の異常検出について説明する。
【００８３】
チューブ１１０の径に比べてバルーン式内視鏡１０の挿入部１２に沿って設けられたエア供給チューブの径は小さいため（チューブ１１０の径は約６ｍｍ、エア供給チューブの径は約０．８ｍｍ）、エア供給（加圧）が開始されると、第１バルーン６０の圧力が加圧力Ｐ1 に達する前にチューブ１１０内の圧力が先に加圧力Ｐ1 に達し、加圧動作が停止する。しかし、第１バルーン６０の圧力が加圧力Ｐ1 に達していない場合には、チューブ１１０内のエアは、エア供給チューブを介して第１バルーン６０に供給されるため、チューブ１１０内の圧力は再び低下し、加圧力Ｐ1 よりも小さくなる。この場合、シーケンサ１７０は、圧力センサＳＡ１からの検出信号により再び加圧動作を開始する。
【００８４】
第１バルーン６０が破れていない場合には、上記加圧動作の開始と停止とを複数回繰り返すことで、第１バルーン６０の圧力を加圧力Ｐ1 にすることができるが、第１バルーン６０が破れている場合には、長時間、加圧動作を繰り返しても第１バルーン６０の圧力を加圧力Ｐ1 にするができない。
【００８５】
そこで、この実施の形態では、加圧動作の開始と停止の短い周期での繰り返し（すなわち、電磁弁ＶＡ１のＯＮ／ＯＦＦのチャタリング）が、収縮している正常な第１バルーン６０の加圧動作時に生じるチャタリング期間よりも十分に長い時間（例えば、４０秒間）継続する場合には、第１バルーン６０が破れていると判断し、エラーメッセージを表示するとともにブザーＢＺを鳴らすようにしている。エラーメッセージは、エラーコード（例えば「Ｅｒｒ５」）をバルーン圧力値と交互に圧力表示部１０６に表示する。
【００８６】
次に、図９のフローチャートを参照しながらポーズ処理について説明する。
【００８７】
シーケンサ１７０は、第１バルーン６０の圧力を保持するポーズ指令（ポーズスイッチＳＷ７のＯＮ）の入力が、減圧動作中にあったか、又は加圧動作中にあったかを判別する（ステップＳ３０２）。そして、減圧動作中にポーズ指令を入力した場合には、電磁弁ＶＡ２を切り替え、減圧動作を停止させる（ステップＳ３０４）。
【００８８】
一方、加圧動作中にポーズ指令を入力した場合には、電磁弁ＶＡ１を切り替え、加圧動作を停止させる（ステップＳ３０６）。
【００８９】
このポーズ機能は、例えば、大腸でバルーンを膨らませながらダブルバルーン式内視鏡を挿入する際に使用する。すなわち、小腸に比べて管腔の直径の大きい大腸では、バルーンの大きさが管腔まで達しているのに、バルーンの圧力が予め設定した加圧力Ｐ1 まで上昇しない場合があるが、この場合に上記ポーズ機能を使用して加圧動作を停止させる。
【００９０】
なお、減圧動作又は加圧動作の一時停止中に、再度ポーズスイッチＳＷ７を押すと、一時停止前の減圧動作又は加圧動作に復帰する。さらに、減圧動作又は加圧動作の一時停止中に、加圧又は減圧スイッチ（内視鏡ＯＮ／ＯＦＦスイッチＳＷ６）が押されると、押されたスイッチによる動作が優先される。
【００９１】
次に、両バルーン６０、８０の圧力値を表示する圧力表示部１０６、１０８について説明する。
【００９２】
圧力表示部１０６、１０８はそれぞれ、「０」〜「９」を表示可能な単桁表示ユニットを四つ組み合わせて構成されており、図１０に示すように「−９９．９」や「９９．９」、或いはその範囲の数値で圧力値を表示できるようになっている。なお、圧力表示部１０６、１０８は、通常時には圧力値を緑色に点灯する。そして、異常発生時にはエラーメッセージを赤色に点灯するようになっている。エラーメッセージは異常状態の種類に応じて８種類にわけ、エラーコード１〜８として表示する。以下、各エラーコードにおける異常状態の種類と表示方法について説明する。
【００９３】
電源投入時に初期診断を行った際に初期診断異常が発生した場合（例えば、残存する電位が高い等のシステムエラーが発生した場合）は、図１１に示すように「Ｅｒｒ１」を圧力表示部１０６、１０８に表示する。また、動作中にソフトがフリーズしたなどのシステムエラーが発生した場合には、Ｆ／Ｗ暴走として「Ｅｒｒ２」を圧力表示部１０６、１０８に表示する。さらに、初期操作状態移行中にチューブの外れ等によって減圧処理ができないなどのエラーが発生した場合には、初期減圧エラーとして「Ｅｒｒ３」を圧力表示部１０６、１０８に表示する。これらのエラー表示は、圧力表示部１０６、１０８の両方で行われ、停止スイッチＳＷ２、ＳＷ５を操作するまで赤色に点灯する。なお、これらのエラーメッセージを表示する際、ブザーＢＺを鳴らすようにしてもよい。  
【００９４】
減圧処理中、或いは加圧処理中に異常が発生した場合には、上述したようにそのエラー内容に応じて「Ｅｒｒ４」〜「Ｅｒｒ７」を表示する。このエラー表示は、異常が発生した制御系統Ａ、Ｂに対応する圧力表示部１０６、１０８で行う。すなわち、第１バルーン６０側の内視鏡用制御系統Ａで異常が発生した場合には、圧力表示部１０６にエラーコードを表示し、第２バルーン８０側の挿入補助具用制御系統Ｂで異常が発生した場合には、圧力表示部１０８にエラーコードを表示する。さらに、これらのエラーコードの表示は、圧力センサＳＡ、ＳＢの測定値と交互に行う。例えば、図１２（ａ）、図１２（ｂ）は、第２バルーン８０側の挿入補助具用制御系統Ｂで「異常圧」が発生した場合である。この場合、まず、圧力表示部１０８にエラーコード「Ｅｒｒ４」を表示し（図１２（ａ））、続いてその圧力表示部１０８の表示を圧力値「８．３」に切り替え（図１２（ｂ））、これを交互に繰り返す。エラーコードと圧力値の表示の切り替えは数秒（例えば０．５〜２秒）ごとに行う。その間、圧力表示部１０６には、圧力値「５．６」を表示し続ける。このような表示を行うと、異常状態が発生したことを把握できるだけでなく、異常状態が発生した制御系統Ａ又はＢを把握することができ、さらに、異常状態が発生している時のバルーン６０、８０の圧力値を把握することができる。
【００９５】
一方、全ての処理中において冷却ファン１９０が故障した場合には、まず、図１３（ａ）に示すように、両方の圧力表示部１０６、１０８に「Ｅｒｒ８」を表示する。そして、図１３（ｂ）に示すような圧力値の表示（例えば「５．６」）と図１３（ａ）に示したエラーコードとを交互に表示する。これにより、各処理を中断することなく行うことができる。この場合には、エラーコードの表示よりも、圧力値の表示の方が長くなるようにすることが好ましい。
【００９６】
次に本発明の特徴部分であるバルーン専用モニタ８２の表示画像について説明する。図１４乃至図１７は、バルーン専用モニタ８２の表示画像の例を示したものである。
【００９７】
これらの図に示すように、バルーン専用モニタ８２の表示画像は、内視鏡１０や挿入補助具７０等を模式的に示した画像であり、具体的には、内視鏡１０を模式的に示した内視鏡画像ａと、挿入補助具７０を模式的に示した挿入補助具画像ｂと、第１バルーン６０を模式的に示した第１バルーン画像ｃと、第２バルーン８０を模式的に示した第２バルーン画像ｄと、バルーン送気口３８を模式的に示した第１管路画像ｅと、チューブ７４を模式的に示した第２管路画像ｆとを表示するようになっている。これらの画像ａ〜ｆは、使用時の状況に対応するように組み合わされて表示さえており、例えば、挿入補助具画像ｂは内視鏡画像ａの挿入部に被せられた状態に表示される。また、第１バルーン画像ｃは内視鏡画像ａの挿入部の先端部に表示され、第２バルーン画像ｄは挿入補助具画像ｂの先端部に表示される。さらに、第１管路画像ｅは内視鏡画像ａの手元操作部側に表示され、第２管路画像ｆは挿入補助具画像ｂの基端部側に表示される。このように画像ａ〜ｆを使用時の状況に合わせて配置することによって、各画像ａ〜ｆが何を意味しているかを把握することができる。
【００９８】
第１バルーン画像ｃは、第１バルーン６０の膨張・収縮状態に応じて変化し、第２バルーン画像ｄは、第２バルーン８０の膨張・収縮状態に応じて変化するようになっている。例えば、図１４は両方のバルーン６０、８０を加圧力Ｐ1 になるまで膨張させた状態を表示しており、図１５は両方のバルーン６０、８０を減圧力Ｐ3 になるまで収縮させた状態を表示している。また、図１６は、第１バルーン６０を加圧力Ｐ1 になるまで膨張させ、第２バルーン８０を減圧力Ｐ3 になるまで収縮させた状態を表示しており、図１７は、第１バルーン６０を減圧力Ｐ3 になるまで収縮させ、第２バルーン８０を加圧力Ｐ1 になるまで膨張させた状態を表示している。これらの図から分かるように、第１バルーン６０が膨張した場合には、第１バルーン画像ｃも膨張したバルーンを表すようにし、第１バルーン６０が収縮した場合には、第１バルーン画像ｃも収縮したバルーンを表すようにする。同様に、第２バルーン８０が膨張した場合には、第２バルーン画像ｄも膨張したバルーンを表すようにし、第２バルーン８０が収縮した場合には、第２バルーン画像ｄも収縮したバルーンを表すようにする。したがって、第１バルーン画像ｃと第２バルーン画像ｄによって、第１バルーン６０及び第２バルーン８０の膨張・収縮状態を正確に把握することができる。
【００９９】
図１８乃至図２２は、第１バルーン６０の加圧処理、或いは減圧処理におけるバルーン専用モニタ８２の表示画像の例を示したものである。例えば、図１８は加圧処理中の表示画像であり、図１９は加圧処理中に一時停止した表示画像であり、図２０は減圧処理中の表示画像であり、図２１は減圧処理中に一時停止した表示画像である。
【０１００】
これらの図に示すように、第１バルーン６０の加圧処理中或いは減圧処理中には、第１バルーン画像ｃは少し膨らんだ状態を表示する。この第１バルーン画像ｃの大きさは、図１４や図１６で示した第１バルーン画像ｃよりも小さくすることが好ましい。
【０１０１】
図１８に示すように、加圧処理中には、第１バルーン画像ｃの外側に外向きの矢印ｇを複数表示し、第１バルーン６０を膨張させている処理中であることが分かるようにする。また、図１９に示すように、加圧処理の一時停止中は、外向きの矢印ｇを一つだけ表示し、図１８の加圧処理中の表示画像との違いが明確に分かるようにする。
【０１０２】
図２０に示すように、減圧処理中には、第１バルーン画像ｃの内側に内向きの矢印ｈを複数表示し、第１バルーン６０を収縮させている処理中であることが分かるようにする。また、図２１に示すように、減圧処理の一時停止中は、内向きの矢印ｈを一つだけ表示し、図２０の減圧処理中の表示画像との違いが明確になるようにする。
【０１０３】
図２２乃至図２５は、第２バルーン８０の加圧処理、或いは減圧処理におけるバルーン専用モニタ８２の表示画像の例を示したものである。例えば、図２２は加圧処理中の表示画像であり、図２３は加圧処理中に一時停止した表示画像であり、図２４は減圧処理中の表示画像であり、図２５は減圧処理中に一時停止した表示画像である。
【０１０４】
これらの図に示すように、第２バルーン８０の加圧処理中或いは減圧処理中には、第２バルーン画像ｄは少し膨らんだ状態を表示する。この第２バルーン画像ｄの大きさは、図１４や図１７で示した第２バルーン画像ｄよりも小さくすることが好ましい。
【０１０５】
図２２に示すように、加圧処理中には、第２バルーン画像ｄの外側に外向きの矢印ｉを複数表示し、第２バルーン８０を膨張させている処理中であることが分かるようにする。また、図２３に示すように、加圧処理の一時停止中は、外向きの矢印ｉを一つだけ表示し、図２２の加圧処理中の表示画像との違いが明確になるようにする。
【０１０６】
図２４に示すように、減圧処理中には、第２バルーン画像ｄの内側に内向きの矢印ｊを複数表示し、第２バルーン８０を収縮させている処理中であることが分かるようにする。また、図２５に示すように、減圧処理の一時停止中は、内向きの矢印ｊを一つだけ表示し、図２４の減圧処理中の表示画像との違いが明確になるようにする。
【０１０７】
図２６乃至図３３は、エアの供給・吸引における異常状態を示すバルーン専用モニタ８２の表示画像の例を示したものである。例えば図２６は、第１バルーン６０が異常圧力Ｐ2 に達した時（すなわち「Ｅｒｒ４」の場合）の表示画像であり、図１６の表示画像と比較して、第１バルーン画像ｃの内部に外向きの矢印ｋが表示され、点滅するようになっている。したがって、第１バルーン６０の内圧が異常圧力Ｐ2 に達したことを一目で把握することができる。同様に、図２７は、第２バルーン８０が異常圧力Ｐ2 に達した時の表示画像であり、図１７の表示画像と比較して、第２バルーン画像ｄの内部に外向きの矢印ｌが表示され、点滅するようになっている。したがって、第２バルーン８０の内圧が異常圧力Ｐ2 に達したことを一目で把握することができる。
【０１０８】
図２８は、第１バルーン６０が破れたと判断した際（すなわち「Ｅｒｒ６」の場合）の表示画像であり、図１６の表示画像と比較して、第１バルーン画像ｃの一部が消えるとともに、その位置の外側に外向きの矢印ｍが表示され、点滅するようになっている。したがって、第１バルーン６０が破れたことを一目で把握することができる。同様に、図２９は、第２バルーン８０が破れたと判断した際の表示画像であり、図１７の表示画像と比較して、第２バルーン画像ｄの一部が消えるとともに、その位置の外側に外向きの矢印ｎが表示され、点滅するようになっている。したがって、第２バルーン８０が破れたことを一目で把握することができる。
【０１０９】
図３０は、第１バルーン６０の加圧処理中に、第１バルーン６０に連通する管路が外れたと判断した際（すなわち「Ｅｒｒ５」の場合）の表示画像であり、図１８の表示画像と比較して、第１管路画像ｅが点滅表示するようになっている。また、図３１は、第１バルーン６０の減圧処理中に、第１バルーン６０に連通する管路が外れたと判断した際（すなわち「Ｅｒｒ７」の場合）の表示画像であり、図２０の表示画像と比較して、第１管路画像ｅが点滅表示するようになっている。したがって、図３０、図３１の表示画像を見ることによって、第１バルーン６０に連通する管路が外れたことを把握することができる。同様に図３２は、第２バルーン８０の加圧処理中に、第２バルーン８０に連通する管路が外れたと判断した際の表示画像であり、図２２の表示画像と比較して、第２管路画像ｆが点滅表示するようになっている。また、図３３は、第２バルーン８０の減圧処理中に、第２バルーン８０に連通する管路が外れたと判断した際の表示画像であり、図２４の表示画像と比較して、第２管路画像ｆが点滅表示するようになっている。したがって、図３２、図３３の表示画像を見ることによって、第２バルーン８０に連通する管路が外れたことを認識することができる。なお、管路の外れとは、例えば図１のチューブ１１０とバルーン送気口３８との連結、チューブ１１０と気液分離ユニット１１２との連結、チューブ１２０とコネクタ７６との連結、或いはチューブ１２０と気液分離ユニット１２２との連結が外れた場合等に発生する。
【０１１０】
以上説明したようにバルーン専用モニタ８２に、第１バルーン６０と第２バルーン８０を模式的に示した第１バルーン画像ｃと第２バルーン画像ｄを表示し、この画像ｃ、ｄを両バルーン６０、８０の膨張・収縮状態に応じて大きさを変えたり、或いは、矢印ｇ〜ｊを表示するようにしたので、バルーン６０、８０の膨張・収縮状態を正確、且つ迅速に把握することができる。
【０１１１】
また、本実施の形態は、両バルーン６０、８０の異常圧力や破れ、或いは管路の外れ等の異常状態が発生した際に、矢印ｌ、矢印ｍ、第１管路ｅ、第２管路ｆを点滅表示するようにしたので、何の異常状態が発生したかを正確に把握することができる。
【０１１２】
特に本実施の形態では、内視鏡画像ａ、挿入補助具画像ｂ、第１バルーン画像ｃ、及び第２バルーン画像ｄを一つの画像として組み合わることによって、内視鏡１０及び挿入補助具７０の使用状況を模式的に示したので、術者が画像を一目で把握することができ、第１バルーン６０、第２バルーン８０の膨張・収縮状態を迅速に把握することができる。
【０１１３】
なお、上述した実施の形態では、第１バルーン６０、第２バルーン８０の膨張・収縮状態の画像表示をバルーン専用モニタ８２に表示するようにしたが、バルーン制御装置１００の装置本体１０２にモニタを設けて画像を表示したり、或いはハンドスイッチ１０４にモニタを設けて画像を表示するようにしてもよい。
【０１１４】
また、上述した実施の形態では、異常状態の際に点滅表示を行うようにしたが、色を変えて表示するようにしてもよい。例えば正常状態時に各表示を緑色で行い、異常状態が発生した際はその異常状態の発生箇所の表示を赤色で表示するようにしてもよい。
【０１１５】
また、上述した実施の形態では、第１バルーン画像ｃと第２バルーン画像ｄの大きさを三段階で表示するようにしたが、これに限定するものではなく、連続して大きさが変わるように表示してもよい。すなわち、第１バルーン６０が膨張する際は、その膨張度合いに応じて第１バルーン画像ｃが徐々に大きくなる映像を表示し、第１バルーン６０が収縮する際はその収縮度合いに応じて第１バルーン画像ｃが徐々に小さくなる映像を表示してもよい。同様に、第２バルーン８０が膨張する際はその膨張度合いに応じて第２バルーン画像ｄが徐々に大きくなる映像を表示し、第２バルーン８０が収縮する際はその収縮度合いに応じて第２バルーン画像が徐々に小さくなる映像を表示してもよい。このような映像を表示することによって、第１バルーン６０、第２バルーン８０の膨張・収縮状態をより正確、且つ迅速に把握することができる。
【０１１６】
なお、第１バルーン６０、第２バルーン８０の膨張・収縮度合いは、図５の圧力センサＳＡ、ＳＢの測定値によって、又はその測定値の挙動によって、或いは別途流量計を設けてエアの供給量、吸引量を計測することによって求めることができる。また、第１バルーン画像ｃや第２バルーン画像ｄが徐々に変化する映像は、アニメーションを用いるか、或いは、第１バルーン６０や第２バルーン８０が実際に膨張、収縮する映像を撮影しておき、これを膨張率に合わせて表示するようにしてもよい。
【０１１７】
また、上述した実施の形態は、第１バルーン画像ｃや第２バルーン画像ｄの大きさを変えることによって第１バルーン６０、第２バルーン８０の膨張・収縮状態を表したが、第１バルーン画像ｃ、第２バルーン画像ｄの色を変えることによって膨張・収縮状態を表すようにしてもよい。例えば第１バルーン６０の膨張度合いに応じて第１バルーン画像ｃを青色→緑色→黄色と徐々に（或いは多段階で）変化させる。これにより、第１バルーン６０の膨張・収縮状態を正確、且つ迅速に把握することができる。なお、この場合、第１バルーン画像ｃや第２バルーン画像ｄを変化させずに色を変えるようにしてもよいし、或いは、第１バルーン画像ｃや第２バルーン画像ｄの大きさを膨張率に合わせて変化させながら同時に色を変えるようにしてもよい。
【０１１８】
以上説明した実施の形態は、第１バルーン画像ｃや第２バルーン画像ｄを組み合わせた画像によって第１バルーン６０、第２バルーン８０の膨張・収縮状態を表示したが、表示方法はこれに限定するものではなく、視覚的に認識させるものであればよい。例えば、図３４に示すバー表示部２００、２０２を用いて第１バルーン６０、第２バルーン８０の膨張、収縮状態を示すようにしてもよい。図３４に示すバー表示部２００、２０２は、上下に並べて配置されており、その左端位置が第１バルーン６０或いは第２バルーン８０の収縮状態（膨張率０％）を示し、且つ、右端位置が第１バルーン６０或いは第２バルーン８０を設定圧まで膨張した状態（膨張率１００％）を示している。そして、第１バルーン６０、第２バルーン８０の膨張・収縮度合いに応じて、バー表示部２００、２０２の一部が点灯するようになっている。この点灯部分は、左端位置を基点として、膨張度合いに応じた割合が点灯するようになっている。これにより、バー表示部２００、２０２の点灯部分を見ることによって、一目で第１バルーン６０或いは第２バルーン８０の膨張・収縮度合いを認識することができる。例えば、図３４に示したバー表示部２００は全体が点灯しており、第１バルーン６０の膨張率が１００％程度であることを認識できる。また、バー表示部２０２は６割程度が点灯しており、第２バルーン８０の膨張率が６０％程度であることを認識することができる。
【０１１９】
なお、図３４のバー表示部２００、２０２の右側を延長し、膨張率が１００％を超えた場合にも表示を行えるように構成してもよい。この場合には、第１バルーン６０、第２バルーン８０の膨張率が１００％を超えて異常圧が発生した際にそれがバー表示されるので、異常圧が発生したことを一目で認識できるとともに、どの程度まで過膨張したかを一目で把握することができる。
【０１２０】
また、図３４にはバー表示部２００、２０２を示したが、第１バルーン６０及び第２バルーン８０の膨張・収縮状態を視覚により認識させるものであればよく、例えば、円グラフ等で表示するようにしてもよい。さらに、バー表示や円グラフ表示を、上述した第１バルーン画像ｃや第２バルーン画像ｄと組み合わせて使用してもよい。
【０１２１】
さらに、上述した実施の形態は、第１バルーン６０、第２バルーン８０の膨張・収縮状態を視覚により認識させるものであるが、これに限定するものではなく、聴覚により認識させるようにしてもよい。以下、聴覚により認識する実施形態について説明する。
【０１２２】
聴覚により認識する第１の実施形態は、第１バルーン６０、第２バルーン８０を膨張、或いは収縮させた際に「ピッ、ピッ」という電子音を一定の間隔で発生させる。そして、第１バルーン６０或いは第２バルーン８０の膨張・収縮状態に応じて、電子音の周波数を変化させる。例えば図３５に示す如く、膨張・収縮度合いに応じて電子音の周波数を変化させる。同図において、「０％」はバルーンが完全に収縮した状態を示し、「１００％」はバルーン６０、８０が規定の大きさに膨張した状態を示し、これを超えた範囲はバルーンが過剰に膨張した状態を示している。
【０１２３】
図３５の実線Ｌ１で示すように、第１バルーン６０（或いは第２バルーン８０）の膨張状態が１００％に近づいた際、電子音の周波数を上げて音を急激に高くしている。したがって、術者は、第１バルーン６０（或いは第２バルーン８０）の膨張状態が１００％に近づいたことを正確に把握することができる。また、第１バルーン６０（或いは第２バルーン８０）の膨張状態が０％に近づいた際に、電子音の周波数を下げて音を急激に低くしている。したがって、術者は第１バルーン６０（或いは第２バルーン８０）の収縮作業が終了に近づいたことを認識することができる。このように本実施の形態では、聴覚によって第１バルーン６０、第２バルーン８０の膨張・収縮状態を把握できるので、術者はモニタを見なくても第１バルーン６０や第２バルーン８０の膨張・収縮状態を認識することができ、内視鏡１０や挿入補助具７０の操作に集中することができる。
【０１２４】
なお、上述した実施の形態では、第１バルーン６０の膨張・収縮操作時と、第２バルーン８０の膨張・収縮操作時とで電子音の周波数を変えることが好ましい。また、上述した実施の形態では、膨張状態が「１００％」や「０％」に近づいた際に急激に周波数を変化させるようにしたが、これに限定するものではなく、例えば図３５に二点鎖線Ｌ２で示すように徐々に周波数を変化させるようにしてもよい。さらに、上述した実施の形態において異常状態が発生した場合（例えば、「１００％」を超えて膨張した場合等）には、実線Ｌ３で示すように、１００％の時の音よりも高い周波数で電子音を発生するとよい。
【０１２５】
上述した実施の形態は、電子音の周波数によって第１バルーン６０、第２バルーン８０の膨張・収縮状態を示したが、聴覚によって認識できるのであればよく、例えば電子音同士の間隔（すなわち「ピッ」と電子音が鳴ってから次の電子音が「ピッ」と鳴るまでの時間間隔）を変えることによって認識するようにしてもよい。一例としては、第１バルーン６０（或いは第２バルーン８０）の膨張度合いが「１００％」に近づくにつれて電子音同士の間隔を狭め、第１バルーン６０（或いは第２バルーン８０）の膨張度合いが「０％」に近づくにつれて電子音同士の間隔を広げる。これにより、術者は電子音を聞くだけで、第１バルーン６０（或いは第２バルーン８０）の膨張・収縮度合いを認識することができる。
【０１２６】
電子音同士の間隔を変える代わりに、電子音の鳴っている時間を変えるようにしてもよい。すなわち、「ピー、ピー」と電子音が所定の時間で鳴るようにするとともに、その電子音の一回に鳴る時間を第１バルーン６０或いは第２バルーン８０の膨張度合いによって変化させるようにしてもよい。一例としては、第１バルーン６０（或いは第２バルーン８０）の膨張度合いが「１００％」に近づくにつれて電子音が一回に鳴る時間を長くし、第１バルーン６０（或いは第２バルーン８０）の膨張度合いが「０％」に近づくにつれて電子音が一回に鳴る時間を短くする。そして、異常状態が発生した際には、電子音を連続して鳴らすようにする。これにより、術者は電子音を聞くだけで、第１バルーン６０（或いは第２バルーン８０）の膨張・収縮度合いと異常状態の発生を認識できる。
【０１２７】
さらには、電子音の音量を変えることによって、第１バルーン６０、第２バルーン８０の膨張・収縮状態を認識させるようにしてもよい。例えば、膨張度合いが大きくなるにつれて電子音の音量を大きくし、膨張度合いが小さくなるにつれて電子音の音量を小さくする。これにより、第１バルーン６０、第２バルーン８０の膨張・収縮状態を電子音の音量によって把握することができる。
【０１２８】
なお、上述した実施の形態では、電子音の周波数、間隔、音量のいずれかを変化させるようにしたが、二つ以上を同時に変化させるようにしてもよい。例えば、第１バルーン６０（或いは第２バルーン８０）の膨張度合いが「１００％」に近づくにつれて電子音の周波数を高くするとともに、電子音同士の間隔を短くする。これにより、第１バルーン６０（或いは第２バルーン８０）の膨張・収縮状態をより確実に認識することができる。
【０１２９】
また、上述した実施の形態は、聴覚で認識するために電子音を発生するようにしたが、発生する音の種類は特に限定するものではない。また、骨伝導のように振動を術者に直接伝えることによって第１バルーン６０や第２バルーン８０の膨張・収縮状態と異常状態を認識するようにしてもよい。この場合、第１バルーン６０や第２バルーン８０の膨張・収縮状態に応じて、振動の強さ、周波数、間隔等を変えることが好ましい。
【０１３０】
以上説明したような聴覚による認識方法は単独で用いてもよいし、或いは上述した視覚による認識方法と組み合わせて使用してもよい。すなわち、第１バルーン６０及び第２バルーン８０の膨張・収縮状態に応じて、電子音の周波数、間隔、音量等を変化させるとともに、バルーン専用モニタ８２の画像を変化させるようにしてもよい。
【図面の簡単な説明】
【０１３１】
【図１】本発明に係る内視鏡装置のシステム構成図
【図２】内視鏡の挿入部の先端部を示す斜視図
【図３】バルーン制御装置の前面パネルを示す正面図
【図４】本発明に係る内視鏡装置の操作方法を示す説明図
【図５】バルーン制御装置の内部構造を示すブロック図
【図６】図５のシーケンサの動作の概略を示すフローチャート
【図７】図６の減圧処理の動作を説明するフローチャート
【図８】図６の加圧処理の動作を説明するフローチャート
【図９】図６のポーズ処理の動作を説明するフローチャート
【図１０】図３の圧力表示部の表示例を示す図
【図１１】図３の圧力表示部の表示例を示す図
【図１２】図３の圧力表示部の表示例を示す図
【図１３】バルーン専用モニタの表示例を示す図
【図１４】バルーン専用モニタの表示例を示す図
【図１５】バルーン専用モニタの表示例を示す図
【図１６】バルーン専用モニタの表示例を示す図
【図１７】バルーン専用モニタの表示例を示す図
【図１８】バルーン専用モニタの表示例を示す図
【図１９】バルーン専用モニタの表示例を示す図
【図２０】バルーン専用モニタの表示例を示す図
【図２１】バルーン専用モニタの表示例を示す図
【図２２】バルーン専用モニタの表示例を示す図
【図２３】バルーン専用モニタの表示例を示す図
【図２４】バルーン専用モニタの表示例を示す図
【図２５】バルーン専用モニタの表示例を示す図
【図２６】バルーン専用モニタの表示例を示す図
【図２７】バルーン専用モニタの表示例を示す図
【図２８】バルーン専用モニタの表示例を示す図
【図２９】バルーン専用モニタの表示例を示す図
【図３０】バルーン専用モニタの表示例を示す図
【図３１】バルーン専用モニタの表示例を示す図
【図３２】バルーン専用モニタの表示例を示す図
【図３３】バルーン専用モニタの表示例を示す図
【図３４】バルーン専用モニタの別の表示例を示す図
【図３５】バルーン膨張・収縮状態を示す音の発生例を示す図
【符号の説明】
【０１３２】
１０…内視鏡、１２…挿入部、１４…手元操作部、２０…光源装置、２６…プロセッサ、５０…モニタ、６０…第１バルーン、７０…挿入補助具、８０…第２バルーン、８２…バルーン専用モニタ、１００…バルーン制御装置、１０２…装置本体、１０４…ハンドスイッチ、１０６…第１圧力表示部、１０８…第２圧力表示部、１７０…シーケンサ、ＰＡ１、ＰＡ２、ＰＢ１、ＰＢ２…ポンプ、ＶＡ１、ＶＡ２、ＶＡ３、ＶＢ１、ＶＢ２、ＶＢ３…電磁弁、ＳＡ、ＳＢ…圧力センサ
【図１】
2006149999.tif 000003
【図２】
2006149999.tif 000004
【図３】
2006149999.tif 000005
【図４】
2006149999.tif 000006
【図５】
2006149999.tif 000007
【図６】
2006149999.tif 000008
【図７】
2006149999.tif 000009
【図８】
2006149999.tif 000010
【図９】
2006149999.tif 000011
【図１０】
2006149999.tif 000012
【図１１】
2006149999.tif 000013
【図１２】
2006149999.tif 000014
【図１３】
2006149999.tif 000015
【図１４】
2006149999.tif 000016
【図１５】
2006149999.tif 000017
【図１６】
2006149999.tif 000018
【図１７】
2006149999.tif 000019
【図１８】
2006149999.tif 000020
【図１９】
2006149999.tif 000021
【図２０】
2006149999.tif 000022
【図２１】
2006149999.tif 000023
【図２２】
2006149999.tif 000024
【図２３】
2006149999.tif 000025
【図２４】
2006149999.tif 000026
【図２５】
2006149999.tif 000027
【図２６】
2006149999.tif 000028
【図２７】
2006149999.tif 000029
【図２８】
2006149999.tif 000030
【図２９】
2006149999.tif 000031
【図３０】
2006149999.tif 000032
【図３１】
2006149999.tif 000033
【図３２】
2006149999.tif 000034
【図３３】
2006149999.tif 000035
【図３４】
2006149999.tif 000036
【図３５】
2006149999.tif 000037
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
内視鏡の挿入部に装着された第１バルーン、及び前記挿入部を挿入案内する挿入補助具に装着された第２バルーンに流体を供給・吸引することによって、前記第１バルーン及び第２バルーンを膨張・収縮させる内視鏡装置用のバルーン制御装置において、
前記第１バルーン及び第２バルーンの膨張・収縮状態を画像表示する表示手段を備えたことを特徴とする内視鏡装置用のバルーン制御装置。
【請求項２】
前記表示手段は、前記内視鏡の第１バルーン、前記挿入補助具の前記第２バルーンを模式的に示した画像を用いて膨張・収縮状態を表示することを特徴とする請求項１に記載の内視鏡装置用のバルーン制御装置。
【請求項３】
異常状態が発生した場合に、前記模式的に示した画像を用いて異常部を表示することを特徴とする請求項１又は２に記載の内視鏡装置用のバルーン制御装置。
【請求項４】
前記表示手段は、専用のモニタに表示することを特徴とする請求項１〜３のいずれか１に記載の内視鏡装置用バルーン制御装置。
【請求項５】
前記表示手段は、前記内視鏡の観察画像が表示されるモニタに表示することを特徴とする請求項１〜３のいずれか１に記載の内視鏡装置用のバルーン制御装置。
【請求項６】
内視鏡の挿入部に装着された第１バルーン、及び前記挿入部を挿入案内する挿入補助具に装着された第２バルーンに流体を供給・吸引することによって、前記第１バルーン及び第２バルーンを膨張・収縮させる内視鏡装置用のバルーン制御装置において、
前記第１バルーン及び第２バルーンの膨張・収縮状態を、音によって認識させる音認識手段を備えたことを特徴とする内視鏡装置用のバルーン制御装置。
【請求項７】
前記音認識手段は、前記第１バルーン及び第２バルーンの膨張・収縮状態に応じて、音の周波数、間隔、音量の少なくとも一つを変化させることを特徴とする請求項６に記載の内視鏡装置用のバルーン制御装置。
【請求項８】
内視鏡の挿入部に装着されたバルーンに流体を供給・吸引することによって、前記バルーンを膨張・収縮させる内視鏡装置用のバルーン制御装置において、
前記バルーンの膨張・収縮状態を画像表示する表示手段を備えたことを特徴とする内視鏡装置用のバルーン制御装置。
【請求項９】
内視鏡の挿入部に装着されたバルーンに流体を供給・吸引することによって、前記バルーンを膨張・収縮させる内視鏡装置用のバルーン制御装置において、
前記バルーンの膨張・収縮状態を、音によって認識させる音認識手段を備えたことを特徴とする内視鏡装置用のバルーン制御装置。
【手続補正２】
【補正対象書類名】明細書
【補正対象項目名】００１５
【補正方法】変更
【補正の内容】
【００１５】
請求項７に記載の発明は請求項６の発明において、前記音認識手段は、前記第１バルーン及び第２バルーンの膨張・収縮状態に応じて、音の周波数、間隔、音量の少なくとも一つを変化させることを特徴とする。したがって、請求項７の発明によれば、音の周波数、間隔、音量の変化によって、第１バルーン及び第２バルーンの膨張・収縮状態を把握することができる。
請求項８に記載の発明は前記目的を達成するために、内視鏡の挿入部に装着されたバルーンに流体を供給・吸引することによって、前記バルーンを膨張・収縮させる内視鏡装置用のバルーン制御装置において、前記バルーンの膨張・収縮状態を画像表示する表示手段を備えたことを特徴とする。
請求項９に記載の発明は前記目的を達成するために、内視鏡の挿入部に装着されたバルーンに流体を供給・吸引することによって、前記バルーンを膨張・収縮させる内視鏡装置用のバルーン制御装置において、前記バルーンの膨張・収縮状態を、音によって認識させる音認識手段を備えたことを特徴とする。